(57)【要約】  旋回組立体（１００）は、連接棒の本体上にさらなる自由度を可能とする旋回ポイントを設けることによって手動操作式の手動ジャッキ（５０）上の負荷を削減する経済的な手段を提供している。この旋回組立体は、連接棒上の摩擦をさらに削減するためのスラスト軸受（１２０）を備えうる。【選択図】  図３
2008542652.tif 000002
【特許請求の範囲】
【請求項１】
弁組立体の弁棒組立体を手動で駆動するための手動ジャッキであって、
遠位端部、および、前記弁組立体に結合するように構成された近位端部を有しているブラケットと、
軸棒により前記ブラケットに固定され、前記軸棒を中心にして旋回可能であり、その第一の端部が弁棒組立体に係合するように構成されているレバー組立体と、
前記レバー組立体の第二の端部に結合されているネジ切りされたナットと、
前記ブラケットによりジャーナル支持され、前記ネジ切りされたナットに係合する第一の端部および第二の端部を有している連接棒と、
前記連接棒と前記ブラケットとの間に配置されている旋回組立体とを備えており、
前記連接棒が時計回りの方向に向かってに回転すると前記ネジ切りされたナットが前記連接棒に沿って第一の軸方向に向かって移動させられて、前記レバー組立体が第一の回転方向に向けて回転し、前記連接棒が反時計回りの方向に向かってに回転すると前記ネジ切りされたナットが前記連接棒に沿って前記第一の軸方向とは逆の第二の軸方向に向かって移動させられて、前記レバー組立体が前記第一の回転方向とは逆の第二の回転方向に向けて回転するように構成され、
前記連接棒が前記旋回組立体を中心として旋回可能に構成されてなる、手動ジャッキ。
【請求項２】
前記旋回組立体が、前記ブラケットの表面に形成される突条を有した面を備えてなる、請求項１記載の手動ジャッキ。
【請求項３】
前記旋回組立体が、前記突条を有した面に対応するとともに、前記突条を有した面と対をなすように構成されているくぼみを備えてなる、請求項２記載の手動ジャッキ。
【請求項４】
前記旋回組立体が、突条を有した面を有している旋回用ワッシャを備えており、前記ブラケットの表面が、前記突条を有した面に対応するくぼみを備えてなる、請求項１記載の手動ジャッキ。
【請求項５】
前記連接棒と前記旋回組立体との間に配置されるスラスト軸受をさらに備えてなる、請求項１記載の手動ジャッキ
【請求項６】
前記ネジ切りされたナットが前記レバー組立体に回転可能に接続されてなる、請求項１記載の手動ジャッキ。
【請求項７】
前記レバー組立体が、少なくとも１つのスペーサに接続される第一のレバープレートと第二のレバープレートとを備えており、前記ネジ切りされたナットが、前記第一のレバープレートと前記第二のレバープレートとに回転可能に接続され、前記連接棒の長さに対して直角な軸を中心として回転するように構成されてなる、請求項６記載の手動ジャッキ。
【請求項８】
前記連接棒の前記第二の端部に取り付けられる手回し車をさらに備えてなる、請求項１記載の手動ジャッキ。
【請求項９】
弁組立体の弁棒組立体を手動で駆動するための側面側装着型の手動ジャッキであって、
遠位端部および近位端部を有したＵ字形のブラケットであって、該Ｕ字形のブラケットを前記弁組立体と結合させるように構成されたフランジを前記近位端部に有するＵ字形のブラケットと、
前記ブラケットの内部に配置され、軸棒により前記ブラケットに固定され、前記軸棒を中心にして旋回可能であり、その第一の端部が前記弁棒組立体に係合するように構成されているレバー組立体と、
前記レバー組立体の第二の端部に結合されているネジ切りされたナットと、
前記ブラケットの前記遠位端部内の孔を貫通して延びているとともに該孔によりジャーナル支持され、前記ネジ切りされたナットに係合する第一の端部および第二の端部を有している連接棒と、
前記連接棒と前記ブラケットの外面との間に配置されている旋回用ワッシャと、
前記ブラケットの外面に配置されている突条付き面と、
前記連接棒と前記旋回用ワッシャとの間で配置されているスラスト軸受とを備えており、
前記旋回用ワッシャが前記突条付き面を中心にして旋回可能となっており、
前記連接棒が時計回りの方向に向かって回転すると前記ネジ切りされたナットが前記連接棒に沿って第一の軸方向に向かって移動されて、前記レバー組立体が第一の回転方向に向けて回転し、前記連接棒が反時計回りの方向に向かってに回転すると前記ネジ切りされたナットが前記連接棒に沿って前記第一の軸方向とは逆の第二の軸方向に向かって移動されて、前記レバー組立体が前記第一の回転方向とは逆の第二の回転方向に向けて回転するように構成されてなる、手動ジャッキ。
【請求項１０】
前記連接棒に取り付けられ、前記スラストワッシャをブラケットの内面に接触するスラストワッシャと、該スラストワッシャを前記連接棒上にブラケットの内面に対して保持するためのスナップリングとをさらに備えてなる、請求項９記載の手動ジャッキ。
【請求項１１】
前記レバー組立体が、少なくとも１つのスペーサにより接続された２つのレバープレートを備えてなる、請求項９記載の手動ジャッキ。
【請求項１２】
前記連接棒の旋回面が前記レバーの旋回面に対して平行となっている、請求項９記載の手動ジャッキ。
【請求項１３】
前記ネジ切りされたナットが前記レバー組立体に回転可能に接続されてなる、請求項９記載の手動ジャッキ。
【請求項１４】
流体制御弁組立体であって、
流体流入口、流体流出口、前記流体流入口と前記流体流出口との間を連通する流路、および、該流路内にある弁座を有している弁箱と、
前記流路内に配置され、前記弁を流れる流量を制御するために前記弁座に対して移動可能となっているスロットル部材と、
前記弁箱に取り付けられ、中心孔を有している弁ボンネットと、
前記スロットル部材に結合され、前記弁ボンネットの前記中心孔を貫通して延びている弁棒と、
前記弁ボンネットに結合されているヨークと、
前記弁箱、前記ボンネットおよび前記ヨークと共に弁組立体を形成し、前記ヨークへ結合され、アクチュエータロッドを有しているアクチュエータと、
前記弁棒および前記アクチュエータロッドと共に弁棒組立体を形成し、前記弁棒を前記アクチュエータロッドに結合するための弁棒コネクタと、
前記弁棒組立体に係合して前記弁棒組立体を手動で操作するように構成された手動ジャッキとを備えており、
該手動ジャッキが、
遠位端部、および、前記弁組立体に結合するように構成された近位端部を具備するブラケットと、
軸棒により前記ブラケットに固定され、前記軸棒を中心として旋回可能であり、その第一の端部が弁棒組立体に係合するように構成されているレバー組立体と、
前記レバー組立体の第二の端部に結合されているネジ切りされたナットと、
前記ブラケットによりジャーナル支持され、前記ネジ切りされたナットに回転自在に係合している第一の端部および第二の端部を具備している連接棒と、
前記連接棒と前記ブラケットとの間に配置されている旋回組立体とを有しており、
前記連接棒が時計回りの方向に向かって回転すると前記ネジ切りされたナットが前記連接棒に沿って第一の軸方向に向かって移動されて、前記レバー組立体が第一の回転方向に向けて回転し、前記連接棒が反時計回りの方向に向かって回転すると前記ネジ切りされたナットが前記連接棒に沿って第二の軸方向に向かって移動されて、前記レバー組立体が前記第一の回転方向とは逆の第二の回転方向に向けて回転するように構成され、
前記連接棒が前記旋回組立体を中心にして旋回可能に構成されてなる、手動ジャッキ。
【請求項１５】
前記旋回組立体が、前記ブラケットの表面に形成される突条を有した面を備えてなる、請求項１４記載の手動ジャッキ。
【請求項１６】
前記旋回組立体が、前記突条を有した面に対応するとともに、前記突条を有した面と対をなすように構成されているくぼみを備えてなる、請求項１５記載の手動ジャッキ。
【請求項１７】
前記旋回組立体が、突条を有した面を有している旋回用ワッシャを備えており、前記ブラケットの表面が、前記突条を有した面に対応するくぼみを備えてなる、請求項１４記載の手動ジャッキ。
【請求項１８】
前記連接棒と前記旋回組立体との間に配置されるスラスト軸受をさらに備えてなる、請求項１４記載の手動ジャッキ。
【請求項１９】
前記ネジ切りされたナットが前記レバー組立体に回転可能に接続されてなる、請求項１４記載の手動ジャッキ。
【請求項２０】
前記レバー組立体が、少なくとも１つのスペーサに接続される第一のレバープレートと第二のレバープレートとを備えており、前記ネジ切りされたナットが、前記第一のレバープレートと前記第二のレバープレートとに回転可能に接続され、前記連接棒の長さに対して直角な軸を中心として回転するように構成されてなる、請求項１９記載の手動ジャッキ。
【発明の詳細な説明】
【技術分野】
【０００１】
本発明は流体弁を手動で操作するための手動ジャッキに関するものである。
【背景技術】
【０００２】
弁棒を摺動させることにより駆動されるスロットル部材を備えた流体弁は、プロセス制御システムで流体の流量を調節する技術分野において一般的に公知となっている。これらの流体弁には制御弁およびレギュレータが含まれうる。流体弁はアクチュエータに結合されていることが一般的である。アクチュエータは、油圧式に、空気圧式にまたは電気式に力を生成することが可能である。アクチュエータが故障した場合、非常状態下においてスロットル部材を安全に開弁位置または閉弁位置へ配置するように弁棒組立体を移動させるための手動で操作する手動ジャッキが用いられる。従来から公知となっている手動ジャッキは、ブラケットと、レバーと、旋回ピンと、ロッド（棒）とを備えている。ロッドに対してねじれ力を手動で加えることを容易にするため、手回し車がロッドに取り付けられてもよい。ロッドの回転により、レバーが旋回ピンを中心として旋回しうる。このレバーの回転によって弁棒が上昇または降下されることにより、レバーが、弁を開閉すべく、弁棒組立体の弁棒、アクチュエータまたは他の構成部品へ係合するようになっている。
【発明の開示】
【発明が解決しようとする課題】
【０００３】
従来の手動ジャッキは、動作中に不必要な摩擦および曲げ力を生じるという欠点がある。レバーが開弁位置から閉弁位置または閉弁位置から開弁位置へと旋回するに従って、ロッドをレバーに結合するポイントがおおむねアーチ状の軌道を描きうる。ロッドが弁棒に対してほぼ一定の姿勢で保持されるよう、ブラケットがロッドのうちの他の部分に係合していることが多い。ロッドのうちの１部分が実質的に定位置に置かれ、ロッドの自由端部がアーチ状の軌道を描いて移動可能となっている場合、手動ジャッキの動作によって、ロッドに対して著しい曲げ力が加えられることになる。ロッド／レバーの結合部分における曲げ力により、動作中の摩擦、したがって手動ジャッキの操作に必要となる力が上昇する。また、ロッドに対するこれらのストレスは、手動ジャッキを弁に固定させている結合機構、たとえばボルトへの負荷を増幅し、デバイス上の摩耗および裂け目を増大しうる。さらに、取りつけボルトへの負荷により、構造体が損傷される危険性が増大されうる。
【課題を解決するための手段】
【０００４】
上記課題を解決するため本発明は、弁組立体の弁棒組立体を手動で駆動するための手動ジャッキであって、遠位端部、および、前記弁組立体に結合するように構成された近位端部を有しているブラケットと、軸棒により前記ブラケットに固定され、前記軸棒を中心にして旋回可能であり、その第一の端部が弁棒組立体に係合するように構成されているレバー組立体と、前記レバー組立体の第二の端部に結合されているネジ切りされたナットと、前記ブラケットによりジャーナル支持され、前記ネジ切りされたナットに係合する第一の端部および第二の端部を有している連接棒と、前記連接棒と前記ブラケットとの間に配置されている旋回組立体とを備えており、前記連接棒が時計回りの方向に向かってに回転すると前記ネジ切りされたナットが前記連接棒に沿って第一の軸方向に向かって移動させられて、前記レバー組立体が第一の回転方向に向けて回転し、前記連接棒が反時計回りの方向に向かってに回転すると前記ネジ切りされたナットが前記連接棒に沿って前記第一の軸方向とは逆の第二の軸方向に向かって移動させられて、前記レバー組立体が前記第一の回転方向とは逆の第二の回転方向に向けて回転するように構成され、前記連接棒が前記旋回組立体を中心として旋回可能に構成されてなるものである。
【発明を実施するための最良の形態】
【０００５】
以下の記載は、本発明のさまざまな異なる実施形態を詳細に説明するものであるが、いうまでもなく、本発明の法的な範囲は、本明細書に添付されている特許請求の範囲によって定義される。詳細な説明は、例示としてのみ解釈されるべきであり、本発明のあらゆる可能な実施形態を記載したものではない。というのは、すべての可能な実施形態を記載することは、不可能なことではないとしても非現実的なことであるためである。現在の技術を用いまたは本明細書の出願日以降に開発される技術を用いて多くの他の実施形態が実施された場合であっても、これらもまた、本発明を定義する特許請求の範囲に含まれるものであるとする。
【０００６】
図１には、たとえば処理プラントのようなプロセス制御システムにおいて用いられうる制御弁組立体１０の部品が示されている。この制御弁組立体は、弁箱１４と、流入口ポート１６と、流出口ポート１８と、弁ボンネット２０とを有した弁１２を備えている。弁ボンネット２０内には、弁１２を操作するために用いられうる弁棒３２が配置されている。ボンネット２０には、ヨーク３０が取り付けされているかまたは設けられている。図１に示されているようにヨーク３０は弁ボンネット２０に接続されていてもよいが、他の実施形態では、ヨーク３０は弁箱１４の他の部分に取り付けられていてもよい。ヨーク３０は、アクチュエータ４０を弁箱１４に結合させるために用いられうる。弁棒組立体の一部分を形成しうる弁棒３２は、アクチュエータ４０からの力を弁１２へ伝達することにより弁１２の動作を制御するようになっている。ヨーク３０には、ポジショナ３４が取り付けられてもよい。ポジショナ３４は、アクチュエータ４０を電気的に制御するために用いられうる。あるいは、ポジショナ３４は、調整弁の実施形態において用いられる流体フィードバック制御メカニズム（図１に図示せず）と取り替えられてもよい。例示の実施形態では、手動ジャッキ組立体５０が、ヨーク３０に取り付けられ、弁棒組立体に結合されている場合がある。手動ジャッキ組立体５０は、一般に連接棒５２と、手回し車５４と、ブラケット５６と、レバー組立体５８とからなっている。
【０００７】
図２には、図１の制御弁組立体１０の断面図が示されている。同様の部品には同様の符号が付されていることに留意されたい。図２には、流入口ポート１６、流出口ポート１８およびこれら流入口ポート１６と流出口ポート１８との間を連通する流路１１が形成された弁箱１４が示されている。流路１１が貫通している弁箱１４内には弁座１３が配置されうる。スロットル組立体１５は、この流路内に配置されている弁座１３に対して移動可能となっていることにより弁箱１４を流れる流量を制御するスロットル部材１７からなっている。スロットル組立体１５は、スロットル部材１７に結合され、弁ボンネット２０内の孔１９を貫通して延びる弁棒３２をさらに備えている。スロットル組立体１５が上昇されてスロットル部材１７と弁座１３との間のギャップが広げられると、流路１１を流れる流体の流量が増大する。スロットル組立体１５を降下させると、ギャップが閉じられ、スロットル部材１７を弁座１３へ完全に係合する（図２に図示されている）まで流量を減少させ、これによりこれ以上流体が流路１１を流れることを防止するようになっている。
【０００８】
スロットル組立体１５は、スロットル組立体を上昇・下降させるためにアクチュエータ４０に結合されてもよい。図２に例示されているように、弁棒３２は弁棒コネクタ３３によりアクチュエータロッド３５に結合されうる。アクチュエータ４０は、アクチュエータロッド３５を上昇または下降させるため、ひいてはスロットル組立体１５を上昇または下降させるために、油圧式、空圧式または電気式に操作されてもよい。アクチュエータ４０は、ヨーク３０により、弁箱の上方に支持および位置決めされうる。
【０００９】
アクチュエータ４０が動作不能となった場合の如き弁組立体１０が機能不能になった場合に、弁１２を開閉する他の手段が必要となる場合がある。図３には、弁１２を安全に開弁位置または閉弁位置に置くことを可能とすべく弁棒組立体７０を上昇または降下させるために、手動操作式の手動ジャッキ５０が用いられうることが示されている。本明細書では、用語「弁棒組立体」は、スロットル組立体に関連するすべての部品を有しうる。図３の実施形態では、これは、弁棒３２と、アクチュエータロッド３５と、アクチュエータロッド３５に弁棒３２を結合するための弁棒コネクタ３３とを有しうる。
【００１０】
手動操作式の手動ジャッキ５０は、手動ジャッキ５０を弁棒組立体７０へ支持および結合するためのブラケット５６を有しうる。例示的な実施形態では、ブラケット５６は、おおむねＵ字型を有し、弁組立体１０に取り付けるためのフランジを備えた近位端部を有している。ブラケット５６の反対側遠位端部は、弁組立体１０側とは反対側にかつ手回し車５４の隣に配置されている。ブラケット５６は、接着剤、溶接、リベット、クランプ、ボルト、ネジなどを含む複数のさまざまな締結方法により弁組立体１０に取り付けられてもよい。図１に示されている実施形態では、ブラケット５６は、取り付けボルト５１によってヨーク３０取り付けられている。
【００１１】
図３に例示されているように、手動ジャッキ５０は、ブラケット５６に結合されているとともに弁棒組立体７０へ係合している移動可能なレバー組立体５８と、手回し車５４を用いてレバー組立体５８を移動させるための連接棒５２とを有しうる。図１〜図３に例示されているように、連接棒５２は、ブラケット５６によりジャーナル支持されるとともにブラケット５６を貫通して延びうることに加えて、一端部において外ネジ５３を有しうる。ネジ切りされているナット５５は、レバー組立体５８の一端部に回転可能に取り付けられうるし、また、外ネジ５３に対応する内ネジを有している。このように、ナット５５は、レバー組立体５８に連接棒５２をネジ止めにより結合させるようになっている。ネジ切りされているナット５５は、ネジ切りされている連接棒５２を受け入れるためにネジ切りされている内側流路と、構造体に一体式に設けられまたは結合され、レバー組立体５８に回転可能に取り付けられる取り付け部材とを備えている複数の構造体の形態をとりうる。
【００１２】
手回し車５４により、連接棒５２に対して手動のねじれ力を加えることが容易となる。例示の手回し車に代えて、必要な回転力を生成することが可能な異なる形状のレバー、さらなる自動アクチュエータ、ベルト−プーリシステムなどの如き他のメカニズムが用いられてもよい。
【００１３】
図４には、手動ジャッキ組立体６０の拡大図が示されている。レバー組立体５８は、スペーサ６２、６４およびナット５５により接続されている２つのプレート７１、７２から成っていてもよい。これらの二つのプレート７１、７２は、間隔をおいて並べられる一対の延長アーム７３、７４を形成してもよい。このようなレバー組立体５８は、弁棒コネクタ３３（図３を参照）の如き間隔をおいて並べられたレバー組立体アーム７３、７４の間の長さよりも大きな寸法を有している弁棒組立体７０の構成部材と接触することによって弁棒組立体７０へ係合しうる第一の端部を有しうる。あるいは、レバー組立体５８は、締結装置、ピン、ベアリング、取付け具を用いて、または、弁棒組立体に力を加える場合に単に押すなどの如き複数の方法で弁棒組立体７０と係合してもよい。レバー組立体５８の第二の端部はネジ切りされたナット５５を支持しうる。
（手動弁の動作）
動作ついて、弁は一般に以下のように動作する。図４を参照すると、手回し車５４を回転することにより、連接棒５２が回転され、ナット５５が連接棒の軸Ａ−Ａに沿って移動する。手回し車５４を時計回り方向に向かって回転すると、ナット５５が連接棒５２の軸Ａ−Ａ’に沿って第一の軸方向に向かって移動し、手回し車５４を逆時計回りの方向に向かって回転すると、ナット５５が軸Ａ−Ａ’に沿って反対となる第二の軸方向に向かって移動する。レバー組立体５８は、ピボットピン６７の如き軸棒によりブラケット５６に旋回可能に取り付けられている。
【００１４】
ナット５５が連接棒５２の軸Ａ−Ａ’に沿って移動すると、レバー組立体５８が、ピボットピン６７を中心として旋回する。具体的にいえば、レバー組立体は、ナット５５が第一の軸方向に向かって移動するとき第一の回転方向に向かって回転し、ナット５５が第二の軸方向に向かって回転するとき第二の方向とは逆の第二の回転方向に向かって回転する。図３に例示されているように、レバー組立体が回転運動することにより、レバー組立体５８の拡張アーム７３、７４が弁棒コネクタ３３と接触し弁棒組立体７０を下降させる。例示の実施形態では、弁棒組立体７０の垂直方向の動作により弁１２が閉じるようになっているが、弁１２は弁棒組立体７０の下降により弁が開くように構成されていてもよい。さらに、レバー組立体５８は、レバー組立体５８が弁棒組立体７０に係合してそれを上昇させるようにその構成が逆にされていてもよい。この上昇は、構造に応じて弁１２を開けてもよいしまたは閉じてもよい。
【００１５】
図４には、ネジ切りされたナット５５が連接棒の軸Ａ−Ａ’に沿って移動すると同時に、連接棒の軸Ａ−Ａ’に対して直交する力が連接棒５２のうちのネジ切りされたナット５５が連接棒５２に接続されている部分に加えられることがより明瞭に示されている。この力により、ネジ切りされたナット５５は、ピン６７とネジ切りされたナット５５との間の半径により定義されるとともにピン６７の軸を中心点とするアーチ状の軌道に沿って移動されることになる。ナット５５がアーチ状の軌道を通って移動すると、連接棒５２の軸がある角度だけ変位される。連接棒５２がそのブラケット５６に対する接続部を周囲で固定されているので、この連接棒５２の角度変位または姿勢は、ブラケット５６に対する連接棒５２の接続部によって抵抗されうる。連接棒５２のうちのネジ切りされたナット５５との接続部分において連接棒５２に加えられる直交力（ｏｒｔｈｏｇｏｎａｌ  ｆｏｒｃｅ）が大きくなると、ナット５５と連接棒５２との間の摩擦が大きくなり、これにより、手回し車５４を回すことがより困難なこととなる。この直交力は、ブラケットの結合部分からの抵抗と組み合わされ、連接棒５２上に曲げストレスを形成し、この曲げストレスは、連接棒５２を最終的には変形させてしまう。さらに、直交力は、連接棒５２およびブラケット５６を通じて伝達され、手動ジャッキ５０を弁組立体に固定しているボルト５１への負荷を増幅する。
【００１６】
図５〜図６には、本発明のある実施形態にかかる旋回用ワッシャ１００を備えている手動操作式の手動ジャッキが示されている。本発明のこの実施形態によれば、旋回用ワッシャ１００は、手回し車５４とブラケット５６の外面１０２との間に配置されている。図６にさらに例示されているように、旋回用ワッシャ１００は一方の側面に突条を有した面１０４を備えており、この面はブラケット５６の外面１０２上にある対応する形状を有しるくぼみ１０６または溝に嵌合するようになっている。この突条を有した表面１０４は、手動ジャッキのためのさらなる旋回ポイントを提供しうる。この旋回ポイントは、連接棒５２に対してさらなる自由度を供給することにより、連接棒５２上の直交力によって引き起こされる曲げストレスを緩和するようになっている。ここでは、たとえば、連接棒５２は旋回用ワッシャ１００の旋回ポイントを中心にして揺動することができる。たとえば、図５には、下方に向かうアーチ状の軌道に沿って連接棒５２とナット５５との間の接続ポイントが移動することに適合するために水平方向から反時計回り方向に向かって回転される連接棒５２が示されている。
【００１７】
また、図５には、本発明の実施形態にかかるスラスト軸受１２０を組み入れ、旋回用ワッシャ１００を備えている手動操作式の手動ジャッキが示されている。摩擦をさらに減少させるとともに、弁１２を操作するにあたって手回し車５４により必要とされる負荷をさらに減少させるために、スラスト軸受１２０は、旋回用ワッシャ１００と組み合わされてもよい。この軸に対する回転負荷の減少は、弁組立体１０に結合しているブラケット５６の結合部分に加えられるストレスの減少を意味する。旋回用ワッシャと軸受との組合せにより、弁を動作させるために必要となる負荷が著しく減少されることになる（たとえば、約６５フートポンドから約２０フートポンドまで）。
【００１８】
図７には、本発明にかかる手動ジャッキの他の実施形態が示されている。図７には、突条を有する旋回ポイント１１０が、旋回用ワッシャ１００に代えて、ブラケット５６の外面１０２に一体式に形成されうることが示されている。旋回用ワッシャ上の対応するくぼみ１１２は、それに応じてワッシャの位置を決めるために用いられてもよい。先に記載された実施形態と同様に、突条を有した面は、当該突条を有した面が連接棒５２の移動に対してさらなる自由度を提供するような向きに配置されうる。
【００１９】
本明細書に記載された例示の旋回組立体の実施形態が補完的な突条とくぼみとを備えているが、いうまでもなく、本発明の範囲から逸脱することなく他の構造が用いられてもよい。
【００２０】
以下の記載は、本発明のさまざまな異なる実施形態を詳細に説明するものであるが、いうまでもなく、本発明の範囲は、本明細書に添付された特許請求の範囲によって定義される。詳細な説明は、例示としてのみ解釈されるべきであり、本発明のあらゆる可能な実施形態を記載したものではない。というのは、すべての可能な実施形態を記載することは、不可能なことではないとしても非現実的なことであるためである。現在の技術を用いまたは本明細書の出願日以降に開発される技術を用いて多くの他の実施形態が実施された場合であっても、それらもまた、本発明を定義する特許請求の範囲に含まれるものとする。
【００２１】
したがって、本発明の精神および範囲から逸脱することなく本明細書に記載の技術および構造体に対して複数の修正および変形を加えてもよい。したがって、本明細書記載の方法および装置が例示のみを意図したものであって、本発明の範囲を制限することを意図したものではないことはいうまでもない。
【図面の簡単な説明】
【００２２】
【図１】側部で取り付けられている手動操作式の手動ジャッキを備えている流体制御弁を示す斜視図である。
【図２】図１の流体制御弁を示す垂直断面図である。
【図３】分かり易さのためにいくつかの部品が取り除かれている、図１の流体制御弁および手動操作式の手動ジャッキを示す他の斜視図である。
【図４】手動操作式の手動ジャッキを示す拡大底面図である。
【図５】１つの実施形態にかかる旋回ワッシャおよびスラスト軸受けが取り付けられた手動操作式の手動ジャッキを示す垂直断面図である。
【図６】１つの実施形態にかかる手動操作式の手動ジャッキに用いられる旋回ワッシャおよびブラケットの外面を示す斜視図である。
【図７】旋回ワッシャおよびブラケットの他の実施形態が示されている。
【図１】
2008542652.tif 000003
【図２】
2008542652.tif 000004
【図３】
2008542652.tif 000005
【図４】
2008542652.tif 000006
【図５】
2008542652.tif 000007
【図６】
2008542652.tif 000008
【図７】
2008542652.tif 000009
【国際調査報告】
2008542652.tif 000010
2008542652.tif 000011